(57)【要約】  【課題】火災感知器と照明器具とを設ける必要を無くし、天井面の見栄えが悪くなるということを防止する。  【解決手段】火災の発生を検出する火災感知部１３と、この火災感知部１３により火災の発生が検出された場合に警報を発する警報部１４と、光源を含み、火災感知部１３により火災の発生が検出された場合に、光源を少なくとも点灯する照明点灯部１５とを一体に備えた。【選択図】図１
2006024542.tif 000002
【特許請求の範囲】
【請求項１】
火災の発生を検出する火災感知手段と、この火災感知手段により火災の発生が検出された場合に警報を発する警報手段と、光源を含み、前記火災感知手段により火災の発生が検出された場合に、前記光源を少なくとも点灯する照明点灯手段とを一体に備えることを特徴とする照明器具。
【請求項２】
前記火災感知手段により火災の発生が検出された場合に発報制御信号を出力する制御手段を備え、前記照明点灯手段は、前記発報制御信号に従って、前記光源を一定時間点滅し、その一定時間の経過後に前記光源を点灯することを特徴とする請求項１記載の照明器具。
【請求項３】
前記発報制御信号に従って、予め設定された音声情報を基に音声を出力する音声出力手段を備えることを特徴とする請求項２記載の照明器具。
【請求項４】
信号を電波で送受信する送受信手段を備え、前記警報手段は、前記発報制御信号に従って警報を発し、前記制御手段は、前記火災感知手段により火災の発生が検出された場合に、前記発報制御信号を出力するとともに、前記送受信手段を介して火災の発生を検出したことを示す火災発生検出信号を送信する一方、前記送受信手段を介して火災発生検出信号を受信した場合に、少なくとも前記発報制御信号を出力することを特徴とする請求項２または３記載の照明器具。
【請求項５】
別体のリモコンから、前記光源の光出力を切り替えるためのリモコン信号を受信するリモコン受信手段と、外部交流電源から外部スイッチを介して交流電力を入力する交流電源入力手段と、前記外部スイッチの操作部を操作不能に塞ぐ閉塞手段とを備え、前記制御手段は、前記リモコン受信手段により受信されたリモコン信号を基に、前記光源の光出力を切り替えることを特徴とする請求項１から４のいずれかに記載の照明器具。
【請求項６】
周囲の所定検出エリア内に人が居るか否かの検出をする人検出手段と、外部交流電源から外部スイッチを介して交流電力を入力する交流電源入力手段と、前記外部スイッチの操作部を操作不能に塞ぐ閉塞手段とを備え、前記制御手段は、前記人検出手段の検出結果を基に、前記光源の光出力を切り替えることを特徴とする請求項１から５のいずれかに記載の照明器具。
【請求項７】
外部交流電源からの交流電力を、外部スイッチを介して開閉操作信号として入力する開閉操作信号入力手段と、この開閉操作信号入力手段とは別に、外部交流電源から交流電力を直接入力する交流電源入力手段とを備え、前記制御手段は、前記開閉操作信号入力手段に入力された開閉操作信号を基に、前記光源の光出力を切り替えることを特徴とする請求項１から４のいずれかに記載の照明器具。
【請求項８】
天井面に取り付けられ、天井面側の一部背面が天井面から離隔する器体を備え、前記火災感知手段は、前記器体の一部背面に設けられていることを特徴とする請求項１から７のいずれかに記載の照明器具。
【請求項９】
天井面に取り付けられる器体を備え、前記火災感知手段は、前記器体の下面中央に設けられていることを特徴とする請求項１から７のいずれかに記載の照明器具。
【請求項１０】
天井面に取り付けられる器体を備え、前記火災感知手段は、前記器体の側面より突出した部位に設けられていることを特徴とする請求項１から７のいずれかに記載の照明器具。
【請求項１１】
前記器体は、前記光源を覆うとともに当該光源の光を透過する透過部を有し、誘虫効果のある波長の光を低減するフィルタ手段が、前記透過部における前記火災感知手段近傍を含む一部に設けられていることを特徴とする請求項８から１０のいずれかに記載の照明器具。
【請求項１２】
前記器体の透過部は、前記フィルタ手段が設けられていない部位に虫を捕らえる補虫手段が設けられていることを特徴とする請求項１１記載の照明器具。
【発明の詳細な説明】
【技術分野】
【０００１】
本発明は、火災の発生を検出して、警報を発するとともに光源を例えば点灯または点滅する照明器具に関するものである。
【背景技術】
【０００２】
従来、戸建て住宅などを対象とした火災警報システムが、例えば特許文献１に開示されている。この文献の火災警報システムは、信号を無線（電波）で発信する発信器を付加した火災感知器と、その信号を受信する受信器を有するとともに、その受信器で信号を受信した場合に、照明を点灯しかつ警報を発する警報器を有する火災警報機付き電気スタンドとにより構成されている。
【０００３】
このような構成の火災警報システムによれば、火災発生時に、火災感知器が信号を発信することにより、火災警報機付き電気スタンドが照明を点灯しかつ警報を発するので、老人や聴覚障害者にも火災が発生したことを伝えることができる。また、就寝時などの暗時に火災が発生したとしても、火災警報機付き電気スタンドが照明を点灯するので、避難が容易となる。さらに、火災感知器および火災警報機付き電気スタンドは、信号を電波で送受信するので、人の居る部屋とは別の部屋で火災が発生したとしても、直ぐに火災が発生したことを火災警報機付き電気スタンドの警報により知らせることができる。
【０００４】
なお、特許文献２には、戸建て住宅などよりも大規模な建造物を対象とした誘導灯システムに適用可能な照明装置が記載されている。この照明装置は、誘導灯システムを構成する、誘導灯としての器具、点滅装置としての器具および誘導灯装置としての器具の各構成要素に着目し、誘導灯装置における回路やバッテリーの共用化、制御信号のやりとり等を工夫することにより、有限であるバッテリーのエネルギーを有効に活用するようになっている。例えば、誘導灯装置、点滅装置および誘導音装置を煙感知器と連動するシステムにおいて、点滅装置の降圧部、バッテリーおよび昇圧部が誘導音装置に共用されている。
【特許文献１】登録実用新案第３００３８５７号公報
【特許文献２】特開２００３−６８４８２号公報
【発明の開示】
【発明が解決しようとする課題】
【０００５】
しかしながら、上記従来のシステムでは、火災警報システムとして機能するためには、少なくとも火災感知器と照明器具とを設ける必要があるため、例えば特許文献１の火災警報機付き電気スタンドを通常の天井用照明器具に適用した場合に、その火災警報機付き天井用照明器具と火災感知器とを設置しなければならない。また、その場合、天井用照明器具と火災感知器とが天井に設置されるため、その組が増えるほど天井面の見栄えが勢い悪くなるという課題が生じる。
【０００６】
本発明は、上記事情に鑑みてなされたものであり、火災感知器と照明器具とを設ける必要を無くし、天井面の見栄えが悪くなるということを防止し得る照明器具を提供することを目的とする。
【課題を解決するための手段】
【０００７】
上記課題を解決するための請求項１記載の発明の照明器具は、火災の発生を検出する火災感知手段と、この火災感知手段により火災の発生が検出された場合に警報を発する警報手段と、光源を含み、前記火災感知手段により火災の発生が検出された場合に、前記光源を少なくとも点灯する照明点灯手段とを一体に備えることを特徴とする。
【０００８】
この構成では、火災の報知を音だけでなく光で行うことができるほか、火災感知手段、警報手段および照明点灯手段を一体に備えるので、火災感知器と照明器具とを別々に設ける必要を無くすことができ、火災感知器単体が照明器具とは別に天井面に露出することにより天井面の見栄えが悪くなるということを防止することができる。
【０００９】
請求項２記載の発明は、請求項１記載の照明器具において、前記火災感知手段により火災の発生が検出された場合に発報制御信号を出力する制御手段を備え、前記照明点灯手段は、前記発報制御信号に従って、前記光源を一定時間点滅し、その一定時間の経過後に前記光源を点灯することを特徴とする。この構成でも、火災の報知を音だけでなく光で行うことができるほか、火災感知器と照明器具とを別々に設ける必要を無くすことができ、天井面の見栄えが悪くなるということを防止することができる。また、光源を一定時間点滅することにより、火災が発生したことを明確に報知することができる。
【００１０】
請求項３記載の発明は、請求項２記載の照明器具において、前記発報制御信号に従って、予め設定された音声情報を基に音声を出力する音声出力手段を備えることを特徴とする。この構成では、火災感知手段により火災の発生が検出された場合に、予め設定された音声情報を基に音声が出力されるので、その音声により例えば火災が発生したことを確実に知らせることができる。
【００１１】
請求項４記載の発明は、請求項２または３記載の照明器具において、信号を電波で送受信する送受信手段を備え、前記警報手段は、前記発報制御信号に従って警報を発し、前記制御手段は、前記火災感知手段により火災の発生が検出された場合に、前記発報制御信号を出力するとともに、前記送受信手段を介して火災の発生を検出したことを示す火災発生検出信号を送信する一方、前記送受信手段を介して火災発生検出信号を受信した場合に、少なくとも前記発報制御信号を出力することを特徴とする。この構成では、一の照明器具が、自己の火災感知手段により火災の発生を検出した場合に火災発生検出信号を別の照明器具に送信することにより、一の照明器具により検出された火災の発生に応じて、その一の照明器具をも含む各照明器具が、警報を発し、光源を少なくとも点灯するので、各部屋の人に火災が発生したことを知らせることができる。
【００１２】
請求項５記載の発明は、請求項１から４のいずれかに記載の照明器具において、別体のリモコンから、前記光源の光出力を切り替えるためのリモコン信号を受信するリモコン受信手段と、外部交流電源から外部スイッチを介して交流電力を入力する交流電源入力手段と、前記外部スイッチの操作部を操作不能に塞ぐ閉塞手段とを備え、前記制御手段は、前記リモコン受信手段により受信されたリモコン信号を基に、前記光源の光出力を切り替えることを特徴とする。この構成では、外部スイッチの操作部を、閉（接点閉のオン）状態にして閉塞手段で塞げば、交流電力を照明器具に常時供給することができ、従来と同様にリモコンを操作することにより、光源の光出力を切り替えることができる。
【００１３】
請求項６記載の発明は、請求項１から５のいずれかに記載の照明器具において、周囲の所定検出エリア内に人が居るか否かの検出をする人検出手段と、外部交流電源から外部スイッチを介して交流電力を入力する交流電源入力手段と、前記外部スイッチの操作部を操作不能に塞ぐ閉塞手段とを備え、前記制御手段は、前記人検出手段の検出結果を基に、前記光源の光出力を切り替えることを特徴とする。この構成では、外部スイッチの操作部を閉（接点閉のオン）状態にして閉塞手段で塞げば、交流電力を照明器具に常時供給することができ、所定検出エリア内に人が居るか居ないかに応じて、自動的に光源の光出力を例えば点灯または消灯の状態に切り替えることができる。
【００１４】
請求項７記載の発明は、請求項１から４のいずれかに記載の照明器具において、外部交流電源からの交流電力を、外部スイッチを介して開閉操作信号として入力する開閉操作信号入力手段と、この開閉操作信号入力手段とは別に、外部交流電源から交流電力を直接入力する交流電源入力手段とを備え、前記制御手段は、前記開閉操作信号入力手段に入力された開閉操作信号を基に、前記光源の光出力を切り替えることを特徴とする。この構成では、交流電源入力手段により交流電力を照明器具に常時供給することができるほか、外部スイッチに対して開閉操作をすることにより、光源の光出力を例えば消灯または点灯の状態に切り替えることができる。
【００１５】
請求項８記載の発明は、請求項１から７のいずれかに記載の照明器具において、天井面に取り付けられ、天井面側の一部背面が天井面から離隔する器体を備え、前記火災感知手段は、前記器体の一部背面に設けられていることを特徴とする。この構成では、火災感知手段の露出部が目立たないように器体で隠すことができるとともに、火災感知手段が例えば火災の煙を検出することにより火災の発生を検出するものである場合に、天井に多く漂う煙を検出し易くなり、しかも、光源が点灯することで発生する熱によって気流が生じるから、多くの煙が火災感知手段に到達することで火災感知が速やかに行える。
【００１６】
請求項９記載の発明は、請求項１から７のいずれかに記載の照明器具において、天井面に取り付けられる器体を備え、前記火災感知手段は、前記器体の下面中央に設けられていることを特徴とする。この構成では、火災感知手段が例えば火災の熱を検出することにより火災の発生を検出するものである場合に、器体の下面中央に設けられていることにより、火災の熱を検出し易くなり、しかも、光源が点灯することで発生する熱によって気流が生じるから、多くの煙が火災感知手段に到達することで火災感知が速やかに行える。また、例えば部屋の中央に取り付けられることにより、煙感知の場合、部屋の中央での感知となり、どの場所の火災に対してもほぼ一定の感知速度を実現できる。
【００１７】
請求項１０記載の発明は、請求項１から７のいずれかに記載の照明器具において、天井面に取り付けられる器体を備え、前記火災感知手段は、前記器体の側面より突出した部位に設けられていることを特徴とする。この構成では、火災感知手段が例えば火災の煙を検出することにより火災の発生を検出するものである場合に、天井に多く漂う煙を検出し易くなり、また、例えば部屋の中央に取り付けられることにより、煙感知の場合、部屋の中央での感知となり、どの場所の火災に対してもほぼ一定の感知速度を実現できる。
【００１８】
請求項１１記載の発明は、請求項８から１０のいずれかに記載の照明器具において、前記器体は、前記光源を覆うとともに当該光源の光を透過する透過部を有し、誘虫効果のある波長の光を低減するフィルタ手段が、前記透過部における前記火災感知手段近傍を含む一部に設けられていることを特徴とする。この構成では、火災感知手段に虫が侵入することを防ぐことができ、虫の侵入による火災感知手段の誤動作が防止できる。
【００１９】
請求項１２記載の発明は、請求項１１記載の照明器具において、前記器体の透過部は、前記フィルタ手段が設けられていない部位に虫を捕らえる補虫手段が設けられていることを特徴とする。この構成では、火災感知手段への虫の侵入をさらに確実に防ぐことができる。
【発明の効果】
【００２０】
本発明によれば、火災感知器と照明器具とを設ける必要を無くし、天井面の見栄えが悪くなるということを防止することができる。
【発明を実施するための最良の形態】
【００２１】
（実施形態１）
図１は本発明による実施形態１の照明器具の構成図である。
【００２２】
本実施形態１の照明器具１は、例えば、天井に取り付けられるとともに、壁に取り付けられた外部スイッチＳＷ１を介して外部の交流電源（商用電源）ＡＣと接続されるものであり、図１に示すように、別体の閉塞部９を備えているほか、交流電源入力部１１と、火災感知部１３と、警報部１４と、照明点灯部１５と、音声出力部１６と、電波送受信部１７と、リモコン受信部１８と、制御部１０とを一体に備えている。
【００２３】
閉塞部９は、外部スイッチＳＷ１の操作部を操作不能に塞ぐカバーであり、外部スイッチＳＷ１の操作部を、閉状態（接点ＳＷ１０を閉にするオン状態）にして塞ぐように使用される。
【００２４】
交流電源入力部１１は、交流電源ＡＣから外部スイッチＳＷ１を介して交流電力を入力するものであり、交流電源ＡＣからの交流電力を整流および平滑などして直流電力に変換する直流電源を含み、この直流電源により変換された直流電力を照明器具１の各部に供給するようになっている。なお、照明器具１の各部のうち交流電力を必要とする構成部があれば、その構成部（例えば照明点灯部１５が白熱灯を含む構成である場合にはその照明点灯部１５）には交流電源ＡＣからの交流電力が配電される。
【００２５】
火災感知部１３は、火災の発生を検出するものであって、例えば、火災の煙を検出することにより火災の発生を検出する煙感知ユニット、または火災の熱を検出することにより火災の発生を検出する熱感知ユニットなどである。
【００２６】
警報部１４は、火災感知部１３により火災の発生が検出された場合に警報を発するものであり、本実施形態１では、制御部１０からの発報制御信号に従って警報音を発する例えばブザーなどにより構成される。
【００２７】
照明点灯部１５は、光源として例えば蛍光灯を含み、別体のリモコンに対する操作に応じて光源を点灯、消灯または調光するほか、火災感知部１３により火災の発生が検出された場合に、光源を少なくとも点灯するものである。
【００２８】
具体的には、照明点灯部１５は、光源と、制御部１０からの各種制御信号に従って、光源を点灯、消灯または調光する例えばインバータとにより構成される。ここで、インバータは、自己を構成するスイッチング素子のオン，オフ制御をする照明制御部を含み、制御部１０からの制御信号が全点灯制御信号である場合には光源を全点灯し、消灯制御信号である場合には光源を消灯し、調光制御信号である場合には光源を調光する。また、インバータは、制御信号が発報制御信号である場合には光源を一定時間点滅し、その一定時間の経過後に光源を点灯する。
【００２９】
なお、インバータは、光源を点灯または消灯するものでもよい。また、交流電源入力部１１から交流電力が供給される構成の場合には、インバータの前段に交流電力を直流電力に変換するＡＣ−ＤＣコンバータがさらに具備される構成でもよい。さらに、上記照明制御部は、制御部１０に含まれる構成でもよい。
【００３０】
音声出力部１６は、制御部１０からの発報制御信号に従って、予め設定された音声情報（音声ガイダンス情報）を基に音声を出力するものであり、例えば、音声情報を記憶するメモリと、その音声情報を基に音声信号を生成する音声信号生成部と、その音声信号を増幅する増幅器と、この増幅器により増幅された音声信号に応じて音声を出力するスピーカとにより構成される。
【００３１】
電波送受信部１７は、例えば、微弱無線または小電力無線などの方式により、信号を電波で送受信するものであり、送受信アンテナと、無線（微弱無線，特定小電力）送受信モジュールとにより構成される。
【００３２】
リモコン受信部１８は、別体のリモコンから、照明点灯部１５の光源の光出力（照明ないし点灯状態）を切り替えるための制御コマンドを含むリモコン信号を受信するものであり、リモコン受光モジュールにより構成される。
【００３３】
制御部１０は、例えばマイコンおよびこれにより実行されるプログラムなどにより構成され、本照明器具１全般の制御などの処理を実行するものである。例えば、リモコン受信部１８により受信されたリモコン信号を基に、照明点灯部１５の光源の光出力を切り替える処理が実行される。具体的には、リモコン信号に含まれる制御コマンドが全点灯制御コマンドであれば全点灯制御信号を照明点灯部１５に出力し、消灯制御コマンドであれば消灯制御信号を照明点灯部１５に出力し、調光制御コマンドであれば調光制御信号を照明点灯部１５に出力する処理が実行される。
【００３４】
また、火災感知部１３により火災の発生が検出された場合に、発報制御信号を警報部１４、照明点灯部１５および音声出力部１６に出力する処理が実行される。
【００３５】
さらに、火災感知部１３により火災の発生が検出された場合に、上記発報制御信号を上記各部に出力するとともに、電波送受信部１７を介して、火災の発生を検出したことを示す火災発生検出信号を送信する処理が実行される。一方、電波送受信部１７を介して火災発生検出信号を受信した場合には、受信した火災発生検出信号を電波送受信部１７を介して転送するとともに、発報制御信号を上記各部に出力する処理が実行される。
【００３６】
次に、上記構成の照明器具１の動作について説明する。先ず、通常動作について説明する。別体のリモコンに対して全点灯操作をすれば、全点灯制御コマンドを含むリモコン信号が送信される。このリモコン信号がリモコン受信部１８で受信されると、制御部１０から全点灯制御信号が照明点灯部１５に出力され、照明点灯部１５が光源を全点灯状態に切り替える。
【００３７】
別体のリモコンに対して消灯操作をすれば、消灯制御コマンドを含むリモコン信号が送信される。このリモコン信号がリモコン受信部１８で受信されると、制御部１０から消灯制御信号が照明点灯部１５に出力され、照明点灯部１５が光源を消灯状態に切り替える。
【００３８】
別体のリモコンに対して調光操作をすれば、調光制御コマンドを含むリモコン信号が送信される。このリモコン信号がリモコン受信部１８で受信されると、制御部１０から調光制御信号が照明点灯部１５に出力され、照明点灯部１５が光源を、上記調光制御コマンドに応じた調光状態に切り替える。
【００３９】
次に、火災感知部１３により火災の発生が検出された場合の動作について説明すると、制御部１０から発報制御信号が、警報部１４、照明点灯部１５および音声出力部１６に出力される。これにより、警報部１４が警報音を発し、照明点灯部１５が光源を、一定時間点滅してその一定時間の経過後に点灯し、音声出力部１６が予め設定された音声情報を基に音声を出力する。
【００４０】
また、制御部１０から電波送受信部１７を介して火災発生検出信号が送信される。この火災発生検出信号が別の照明器具１により受信されると、その別の照明器具１により、火災発生検出信号が転送されるとともに、発報制御信号が当該別の照明器具１における警報部１４、照明点灯部１５および音声出力部１６に出力される。これにより、別の照明器具１において、警報部１４が警報音を発し、照明点灯部１５が光源を、一定時間点滅してその一定時間の経過後に点灯し、音声出力部１６が予め設定された音声情報を基に音声を出力する。また、転送された火災発生検出信号が他の照明器具１により受信されると、上記別の照明器具１と同様の処理が実行される。
【００４１】
以上、本実施形態１によれば、火災の報知を音だけでなく光で行うことができるほか、火災感知部１３、警報部１４および照明点灯部１５などを一体に備えるので、火災感知器と照明器具とを別々に設ける必要を無くすことができ、火災感知器単体が照明器具とは別に天井面に露出することにより天井面の見栄えが悪くなるということを防止することができる。
【００４２】
また、照明点灯部１５が発報制御信号に従って、光源を一定時間点滅し、その一定時間の経過後に光源を点灯するので、火災が発生したことを明確に報知することができるとともに、夜間等においては光源の光で周囲が明るくなるために避難経路を判り易くすることができる。
【００４３】
また、火災感知部１３により火災の発生が検出された場合に、音声出力部１６が予め設定された音声情報を基に音声を出力するので、その音声により例えば火災が発生したことを確実に知らせることができる。
【００４４】
また、一の照明器具１が、自己の火災感知部１３により火災の発生を検出した場合に火災発生検出信号を別の照明器具１に送信することにより、一の照明器具１により検出された火災の発生に応じて、その一の照明器具１をも含む各照明器具１が、警報を発し、光源を少なくとも点灯するので、各部屋の人に火災が発生したことを知らせることができる。
【００４５】
さらに、外部スイッチＳＷ１の操作部を、閉状態にして閉塞部９で塞げば、交流電力を照明器具１に常時供給することができ、従来と同様にリモコンを操作することにより、光源の点灯状態を切り替えることができる。
【００４６】
なお、実施形態１では、照明点灯部１５は、光源としての蛍光灯と、少なくともインバータとを備える構成になっているが、これに限らず、例えば、白熱灯などの光源と、交流電源入力部１１からの交流電力を入または切にすることにより光源を点灯または消灯する電源入切制御回路部とを備える構成でもよい。また、その電源入切制御回路部に代えて、光源を点灯、消灯または調光する例えば位相制御などの調光器を備える構成でもよい。
【００４７】
また、実施形態１では、警報部１４は、音声出力部１６がさらに設けられる関係で警報音を発する構成になっているが、音声出力部１６が設けられない構成の場合には、音声出力部１６と同様に、予め設定された音声情報を基に音声を出力するものでもよい。
【００４８】
さらに、実施形態１の変形例として、照明器具１の制御部１０が、電波送受信部１７を介して火災発生検出信号を送信する場合に、当該照明器具１の音声出力部１６が出力する音声の内容を特定するための音声特定情報をその火災発生検出信号に含めるようにしてもよい。例えば、照明器具１が、最初に火災発生検出信号を送信する場合に、自己の音声ガイダンス情報（例えば音声信号生成部が音声合成部である場合にはテキスト情報）そのものを音声特定情報とする構成でもよい。あるいは、各照明器具１に音声特定情報を識別情報として割り当てるとともに、各照明器具１の音声出力部１６のメモリに、各照明器具１の音声ガイダンス情報と各照明器具１の音声特定情報とを対応付けて記憶する構成でもよい。これらいずれの構成の場合にも、火災が発生した場所の照明器具１が出力する音声の内容を各部屋で聞くことができる。例えば、台所の照明器具１が「台所で火災が発生しました。」というような内容の音声ガイダンスを出力する場合、各部屋でその音声ガイダンスを聞くことができるので、迅速に適切な行動をとることができる。
【００４９】
（実施形態２）
本発明による実施形態２の照明器具は、実施形態１において、リモコン受信部１８に代えて、周囲の所定検出エリア内に人が居るか否かの検出をする人検出手段としてのセンサ部（後述の図２に示す１９参照）を備え、制御部１０が、リモコン信号に基づく処理に代えて、上記センサ部の検出結果を基に、照明点灯部１５の光源の光出力を切り替えることを特徴とする。
【００５０】
例えば、制御部１０は、照明点灯部１５の光源が消灯状態である場合にセンサ部から人が居るとの検出結果を得たとき、全点灯制御信号を照明点灯部１５に出力するとともに計時を開始し、センサ部から人が居るとの検出結果を得る毎に上記計時の時間をゼロにリセットし、上記計時の時間が所定の点灯保持時間を超えたとき、消灯制御信号を照明点灯部１５に出力する処理を実行する。
【００５１】
次に、実施形態１と相違する本実施形態２の動作について説明する。照明点灯部１５の光源が消灯状態である照明器具１におけるセンサ部の検出エリア内に人が入ると、制御部１０から全点灯制御信号が照明点灯部１５に出力されるとともに計時が開始される。これにより、照明点灯部１５の光源が消灯状態から全点灯状態に切り替わる。
【００５２】
この後、計時の時間が点灯保持時間を超える前に、センサ部から、人が居るとの検出結果が制御部１０に出力される毎に、上記計時の時間がリセットされる。これにより、照明点灯部１５の光源が全点灯状態に保持される。
【００５３】
この後、計時の時間が点灯保持時間を超えれば、制御部１０から消灯制御信号が照明点灯部１５に出力される。これにより、照明点灯部１５の光源が全点灯状態から消灯状態に切り替わる。
【００５４】
以上、本実施形態２によれば、外部スイッチＳＷ１の操作部を、閉状態にして閉塞部９で塞げば、交流電力を照明器具に常時供給することができ、所定検出エリア内に人が居るか居ないかに応じて、自動的に光源の光出力を全点灯または消灯の状態に切り替えることができる。
【００５５】
なお、実施形態２では、所定検出エリア内に人が居るか居ないかに応じて、自動的に光源の光出力を全点灯または消灯の状態に切り替える構成になっているが、調光または消灯の状態に切り替える構成でも、全点灯または調光の状態に切り替える構成でもよい。
【００５６】
また、実施形態２の変形例として、周囲の照度を検出する照度センサをさらに備え、照度センサにより検出された照度が所定の基準照度よりも明るければ、上記人検出手段としてのセンサ部による人が居るとの検出結果を無効とし、照度センサにより検出された照度が基準照度よりも暗ければ、人が居るとの検出結果を有効とする構成でもよい。
【００５７】
（実施形態３）
図２は本発明による実施形態３の照明器具の構成図である。
【００５８】
本実施形態３の照明器具１は、図２に示すように、実施形態１または２のいずれか（図２の例では実施形態２）において、交流電源ＡＣから外部スイッチＳＷ１を介さずに交流電力を直接入力する交流電源入力部１１と、交流電源ＡＣからの交流電力を、外部スイッチＳＷ１を介して開閉操作信号として入力する開閉操作信号入力部１２とを備え、制御部１０が、センサ部１９の検出結果および開閉操作信号入力部１２に入力された開閉操作信号を基に、照明点灯部１５の光源の光出力を切り替えることを特徴とする。また、閉塞部９は使用されない。
【００５９】
例えば、制御部１０は、開閉操作信号入力部１２に入力された開閉操作信号がスイッチＳＷ１のオフによる開操作信号である場合には、センサ部１９の検出結果に関係なく、消灯制御信号により照明点灯部１５の光源の点灯状態を消灯状態にする制御を実行する。一方、開閉操作信号入力部１２に入力された開閉操作信号がスイッチＳＷ１のオンによる閉操作信号である場合には、実施形態２と同様に、センサ部１９の検出結果を基に、照明点灯部１５の光源の光出力を切り替える制御が実行される。
【００６０】
次に、実施形態２と相違する本実施形態３の動作について説明すると、スイッチＳＷ１をオフにすれば、センサ部１９の検出結果に関係なく、制御部１０から消灯制御信号が照明点灯部１５に出力される。これにより、照明点灯部１５の光源の光出力が消灯状態に保持される。
【００６１】
以上、本実施形態２によれば、閉塞部９を使用しなくても、交流電源入力部１１により交流電力を照明器具１に常時供給することができる。また、外部スイッチＳＷ１に対して開閉操作をすることにより、照明点灯部１５の光源の光出力を消灯状態に保持することができるとともに、センサ部１９の検出結果を基に、照明点灯部１５の光源の光出力を切り替えることができる。
【００６２】
なお、実施形態２では、センサ部１９が設けられる構成になっているが、センサ部１９を設けない構成でもよい。この構成の場合には、外部スイッチＳＷ１に対して開閉操作をすることにより、照明点灯部１５の光源の光出力を例えば消灯または点灯の状態に切り替えることができる。
【００６３】
また、実施形態２では、センサ部１９が設けられる構成になっているが、センサ部１９に代えて、リモコン受信部１８が設けられ、開閉操作信号が閉操作信号である場合に、制御部１０が実施形態１と同様の制御を実行する構成でもよい。
【００６４】
（実施形態４）
図３は本発明による実施形態４の照明器具の構成図である。
【００６５】
本実施形態４の照明器具１は、図３に示すように、実施形態１から３のいずれかにおいて、天井面Ｃに取り付けられ、天井面Ｃ側の一部背面２１が天井面Ｃから離隔する器体２を備え火災感知部１３が器体２の一部背面２１に設けられていることを特徴とする。
【００６６】
このような構成の本実施形態４によれば、火災感知部１３の露出部が目立たないように器体２で隠すことができるとともに、火災感知部１３が例えば火災の煙を検出することにより火災の発生を検出する煙感知ユニットである場合に、天井Ｃに多く漂う煙を検出し易くなる。しかも、光源が点灯することで発生する熱によって気流（上昇気流）が生じるから、多くの煙が火災感知部１３に到達することで火災感知が速やかに行える。
【００６７】
（実施形態５）
図４は本発明による実施形態５の照明器具の構成図である。
【００６８】
本実施形態５の照明器具１は、図４に示すように、実施形態１から３のいずれかにおいて、天井面Ｃに取り付けられる器体２を備え、火災感知部１３が器体２の下面中央に設けられていることを特徴とする。
【００６９】
このような構成の本実施形態５によれば、火災感知部１３が例えば火災の熱を検出することにより火災の発生を検出する熱感知ユニットである場合に、器体２の下面中央に設けられていることで天井面Ｃよりも低い位置に配置されるから、火災の熱を検出し易くなって火災感知の速度が速くなる。また、照明器具１が例えば部屋の中央に取り付けられることにより、煙感知の場合、部屋の中央での感知となり、どの場所の火災に対してもほぼ一定の感知速度を実現できる。
【００７０】
（実施形態６）
図５は本発明による実施形態６の照明器具の取付状態における外観斜視図、図６は同構成図である。
【００７１】
本実施形態６の照明器具１は、天井面Ｃに取り付けられる器体２を備え、火災感知部１３が器体２の側面より突出した部位に設けられていることを特徴とする。
【００７２】
器体２は、制御部１０などの各部を収納するとともに光源である環形蛍光灯が着脱自在に装着されるソケット（図示せず）を有して露出状態で天井面Ｃに取り付けられる器具本体部２ａと、器具本体部２ａの側面から天井面Ｃに沿って側方へ突設されたベース部２ｂと、アクリル樹脂のような透光性材料によってドーム状に形成され器具本体部２ａの下面を覆う透過部（グローブ）２ｃとを具備し、ベース部２ｂの下面に火災感知部１３が設けられている。
【００７３】
このような構成の本実施形態６によれば、火災感知部１３が例えば火災の煙を検出することにより火災の発生を検出する煙感知ユニットである場合に、天井に多く漂う煙を検出し易くなり、また、例えば部屋の中央に取り付けられることにより、煙感知の場合、部屋の中央での感知となり、どの場所の火災に対してもほぼ一定の感知速度を実現できる。
【００７４】
ところで、照明器具１から放射される光源の光（以下、「放射光」と呼ぶ）に昆虫が誘引されることはよく知られているが、誘引された昆虫が火災感知部１３の内部に侵入した場合、煙感知又は熱感知の何れの方式であっても内部に侵入した昆虫によって誤検知（火災が発生していないのに火災発生を誤検知する場合と火災が発生しているにもかかわらず火災発生を検知しない場合の双方を含む）する虞がある。一方、多くの昆虫は紫外領域の光に誘引されることが知られており、紫外領域を含む短波長光を照明器具１の放射光から除去することが、昆虫の誘引を防ぐためには有効である。
【００７５】
そこで本実施形態６においては、短波長光カットフィルタ（図示せず）を器体２に設けることで、光源である蛍光ランプの放射光から短波長の光をカットしている。図７は短波長光カットフィルタの各波長の光に対する透過率を示しており、カットする光の波長の上限が約４１０ｎｍに設定されている。ここで、本出願人が既にした出願において、紫外領域から可視領域の短波長側にかけての光をカットする短波長光カットフィルタを照明器具１の光源に被せて、誘引される昆虫の低減効果を調べる実験を鱗翅目及び双翅目の昆虫について行ったところ、図８に示すような結果が得られている。尚、横軸は各短波長光カットフィルタでカットされる光の波長の上限であり、縦軸はフィルタを使用しない場合の昆虫の誘引数に対するフィルタを使用する場合の昆虫の誘引数の比率である。図８の実験結果から波長が約４１０ｎｍまでの短波長光を低減した場合に誘引数が効率良く減少することが判明した。また可視領域の光の吸収率が高くなると、人間が見た場合に光色が黄色味を帯びることになり外観上好ましくないが、この点においてもカットする波長の上限が約４１０ｎｍ未満であれば黄色味が少なく外観上の問題も起こりにくい。
【００７６】
したがって、フィルム状に形成された短波長光カットフィルタを透光性材料からなる透過部２ｃの内面に貼着することで蛍光ランプの放射光から約４１０ｎｍよりも波長の短い光をカットすれば、放射光によって誘引された昆虫が火災感知部１３の内部に侵入することを防ぐことができ、昆虫の侵入による火災感知部１３の誤動作が防止できる。但し、短波長光カットフィルタの形態はフィルム状のものに限定されず、例えば短波長光をカットする性質を有した塗料を透過部２ｃの内面に塗布することで短波長光カットフィルタを形成することも可能であるし、あるいは短波長光をカットする性質を有した材料を透光性材料と混合することで透過部２ｃと短波長光カットフィルタとを一体に形成しても構わない。
【００７７】
ここで、短波長光カットフィルタを透過部２ｃの内面全体ではなく火災感知部１３の近傍を含む一部のみに設け、火災感知部１３から離れた部位（図６における左端部）に短波長光カットフィルタを設けない構成としても構わない。この構成によれば、短波長光カットフィルタが設けられていない部位から放射される放射光に昆虫が誘引されるため、昆虫を火災感知部１３から引き離して火災感知部１３への侵入を防ぐことができる。さらに、短波長光カットフィルタが設けられていない部位に、図９に示すように内側に窪んだ凹所からなる補虫部２ｄを設ければ、放射光に誘引された昆虫を補虫部２ｄで捕らえることによって火災感知部１３への昆虫の侵入をさらに確実に防ぐことができる。尚、実施形態４又は実施形態５の照明器具１に上述の構成を採用することも勿論可能である。すなわち、図１０及び図１１に示すように器体２における火災感知部１３から離れた部位Ｘを除く全体に短波長光カットフィルタを設けるとともに上記部位Ｘに補虫部２ｄを設ければ、放射光に誘引された昆虫を補虫部２ｄで捕らえることによって火災感知部１３への昆虫の侵入を防ぐことができる。
【００７８】
（実施形態７）
図１２は本発明による実施形態７の照明器具の取付状態における外観斜視図である。
【００７９】
本実施形態７の照明器具１は、本実施形態６と同様に天井面Ｃに設けられた埋込孔に上部を埋め込む形で天井面Ｃに取り付けられる器体２を備え、火災感知部１３が器体２の側面より突出した部位に設けられていることを特徴とする。
【００８０】
器体２は、光源である直管形蛍光灯が着脱自在に装着されるソケットが長手方向の両端部に各々設けられ、制御部１０などの各部を収納するとともに直管形蛍光灯の光を下方へ放射するために下面が開口した器具本体部２ｅと、器具本体部２ｅの長手方向に対向する側面の一方から器具本体部２ｅと同じ幅寸法で延出するベース部２ｆと、アクリル樹脂のような透光性材料によって平板状に形成され器具本体部２ｅの下面開口を塞ぐ透過部２ｇとを具備し、ベース部２ｆの下面に火災感知部１３が設けられている。尚、図示は省略するが、カットする光の波長の上限が約４１０ｎｍに設定された短波長光カットフィルタが透過部２ｇの内面（上面）に設けられている。
【００８１】
このような構成の本実施形態７によれば、火災感知部１３が例えば火災の煙を検出することにより火災の発生を検出する煙感知ユニットである場合に、天井に多く漂う煙を検出し易くなり、また、例えば部屋の中央に取り付けられることにより、煙感知の場合、部屋の中央での感知となり、どの場所の火災に対してもほぼ一定の感知速度を実現できる。
【図面の簡単な説明】
【００８２】
【図１】本発明による実施形態１の照明器具の構成図である。
【図２】本発明による実施形態３の照明器具の構成図である。
【図３】本発明による実施形態４の照明器具の構成図である。
【図４】本発明による実施形態５の照明器具の構成図である。
【図５】本発明による実施形態６の照明器具の取付状態における外観斜視図である。
【図６】同上の構成図である。
【図７】同上の器体に用いる短波長光カットフィルタの透過率を示す図である。
【図８】同上の器体に短波長光カットフィルタを取り付けた際の虫の誘引数の変化を示す図である。
【図９】同上における補虫部の断面図である。
【図１０】（ａ）は同上の他の構成図、（ｂ）は補虫部の断面図である。
【図１１】（ａ）は同上のさらに他の構成図、（ｂ）は補虫部の断面図である。
【図１２】本発明による実施形態７の照明器具の取付状態における外観斜視図である。
【符号の説明】
【００８３】
１  照明器具
２  器体
９  閉塞部
１０  制御部
１１  交流電源入力部
１２  開閉操作信号入力部
１３  火災感知部
１４  警報部
１５  照明点灯部
１６  音声出力部
１７  電波送受信部
１８  リモコン受信部
１９  センサ部
【図１】
2006024542.tif 000003
【図２】
2006024542.tif 000004
【図３】
2006024542.tif 000005
【図４】
2006024542.tif 000006
【図５】
2006024542.tif 000007
【図６】
2006024542.tif 000008
【図７】
2006024542.tif 000009
【図８】
2006024542.tif 000010
【図９】
2006024542.tif 000011
【図１０】
2006024542.tif 000012
【図１１】
2006024542.tif 000013
【図１２】
2006024542.tif 000014